(57)【要約】【課題】  環境保護、廃棄物処理の体積縮減を達成できる簡便型注射器としての注射針装着部を備えた安全注射器を提供すること。【解決手段】  注射筒１と、ピストン２と、注射針装着部３及び注射針キャップ４とからなる。注射が終わったとき、ピストン２の先端部を注射筒１の収容部１５に収容された注射針装着部３に挿入して結合し、ピストン２の引き戻しによって、注射針付きの注射針装着部３を注射筒１の中に収納する。【選択図】    図１
2006255180.tif 000002
【特許請求の範囲】
【請求項１】
薬剤を収容できる円管空間と、前記円管空間の頂部が収縮して形成された引止め部と、円管空間の底端内部に設けた環状凸部と、前記環状凸部と底端によって形成され、環状凸部から底端内部に沿って次第に収縮した円錐形状を呈し、且つ注射筒の外縁に沿って相互に通じ合う貫通孔を開設した収容部とを有する注射筒と、
頂端に設けた先端部と、凹溝部と、差し止め部及び頚部とを有するピストンと、
前記注射筒の収容部にセットされ、可変壁面を持った装着部本体と、シール部及び嵌合部とを有する注射針装着部と、
中空の円錐形態をなし、且つその外縁に数個のリブを設けた注射針に被せてカバーをする注射針のキャップと、を含み、
前記ピストンにはゴム又はシリコンで作られたスリーブを設け、
前記スリーブ下方の差し止め部はピストンを注射筒の円管空間に押し込まれた後、その差し止め部の後端が引止め部に嵌って抜け出ないようになっていて、
前記装着部本体の上部平面の形状は、その長径と短径が楕円形に近い形態を呈しており、前記装着部本体の上部平面の外周全長は注射筒の内部環状凸部の内周の全長より小さく、前記装着部本体の下部平面の形状は、円形をなすと共に下方に向かって接続部が凹設され、
接続部の頂端に間隔的に一個又は複数個の位置決め部を有し、
前記注射針装着部に注射針装着部を貫通する円孔を設けてあり、
前記注射針装着部は、装着部本体が前記注射筒の円管空間を通過し、且つ装着部本体の上部平面の長径の両端で環状凸部の下縁に当接することによって、止まる状態で注射筒の収容部に設置してあり、
前記注射針装着部のシール部は、注射筒の貫通穴を通過した後、装着部本体の下部平面とシール部とによって注射筒の貫通穴に密着し、且つ前記ピストンに設置されたスリーブが注射筒の円管空間と密着し、
使用時は、前記ピストンに設置されたスリーブが注射筒の円管空間と密着しながらピストンを前へ向かって推進することで、注射筒内の薬剤が放出され、
注射終了後は、前記ピストンの押し込み力でピストンの先端部を注射針装着部の装着部本体の接続部に圧入して結合し、ピストンの引き戻しにより注射針装着部を収容部から切り離して注射筒の円管空間の中に収納することを特徴とする、
注射針装着部を備えた安全注射器。
【請求項２】
前記注射針装着部の円孔には注射針を固定することを特徴とする請求項１に記載の注射針装着部を備えた安全注射器。
【請求項３】
前記注射針装着部の嵌合部には注射針を嵌合して固定することを特徴とする、請求項１に記載の注射針装着部を備えた安全注射器。
【請求項４】
前記注射針装着部の装着部本体は、下方に向かって接続部が凹設され、且つ接続部の頂端間には一個又は複数個の位置決め部を凸設したことを特徴とする、請求項１に記載の注射針装着部を備えた安全注射器。
【発明の詳細な説明】
【技術分野】
【０００１】
本発明は、注射針装着部を備えた安全注射器に関し、特に注射筒と注射針装着部の使用後に前記注射針装着部を注射筒の内部へ引き込んで収納できる安全注射器に関するものである。
【背景技術】
【０００２】
安全な注射装置は、病人のみならず、医務人員、環境及び公衆の安全に対しても有益なことである。注射用具や注射後の用具処理などのセクションに係るだけでなく、使い捨て注射装置の重複使用の減少或いは共用注射針又は注射筒の連続使用の減少、若しくは技術的操作の不正確性など非安全な注射行為の減少を図ることができる。医療衛生機関にとっては、更に医療廃棄物を収集するため、特に類別に従って医療廃棄物を振り分けて、液漏れ防止や鋭器物の突き貫け防止をする専用の包装物や密閉容器に収納している。
安全な注射装置は、医務人員が介護操作を行った後、使用済みの注射針を安全な部位に放置し、使用済みの注射針を改めて注射針装着部へ嵌めるとき医療人員を傷つけることを防止し、医務人員が手で直接使用済みの注射針に触れる機会を減少できる。
【発明の開示】
【発明が解決しようとする課題】
【０００３】
本発明は上述した従来の安全注射装置によって生じる各種の欠点に鑑みて成されたもので、本発明の目的は、環境保護、廃棄物処理の体積縮減を達成できる簡便型注射器としての注射針装着部を備えた安全注射器を提供することにある。
本発明のもう一つの目的は、使用後に、注射針装着部を注射筒の収容部に収容できる注射針装着部を備えた安全注射器を提供することにある。
又、本発明のもう一つの目的は、ピストンと頚部間が数個の連接点で連接され、且つ使用後にピストンと頚部を分離させることのできる注射針装着部を備えた安全注射器を提供することにある。
【課題を解決するための手段】
【０００４】
上記発明の目的を達成できる注射針装着部を備えた安全注射器は、薬剤を収容できる円管空間と、前記円管空間の頂部が収縮して形成された引止め部と、円管空間の底端内部に設けた環状凸部と、前記環状凸部と底端によって形成され、環状凸部から底端内部に沿って次第に収縮して円錐体の形態を呈し、且つ注射筒の外縁に沿って相互に通じ合う貫通孔を開設した収容部とからなる注射筒と、頂端に設けた先端部と、凹溝部と、差し止め部及び頚部とからなるピストンと、注射筒の収容部にセットされ、可変壁面を持った装着部本体と、シール部及び嵌合部を設置した注射針装着部と、中空の円錐形態をなし、前記注射針にカバーを被せ、且つその外縁に数個のリブを設けた注射針のキャップと、を含む。
前記ピストンにはスリーブを設け、前記スリーブ下方の差し止め部はピストンを注射筒の円管空間に押し入れた後、その後端が丁度引止め部に嵌り、退出できないようになっている。
前記装着部本体上部平面の形状は、その長径と短径によって楕円形に近い形態を呈しており、前記装着部本体上部平面の外周全長は注射筒内部環状凸部内周の全長より小さく、前記装着部本体下部平面の形状は、円形をなすと共に下方に向かって接続部が凹設され、接続部の頂端に間隔的に複数の位置決め部を設け、且つ前記注射針装着部に注射針装着部を貫通する円孔を設け、その円孔は注射針を固定することができると共に、前記注射針は装着部本体内に開設された円孔と連通している。
前記注射針装着部は、装着部本体が前記注射筒の円管空間を通過し、且つ装着部本体上部平面の長径両端で環状凸部の下縁に当接することによって、差し止める状態で注射筒の収容部に設置してある。注射針装着部のシール部は、注射筒の貫通穴を通過した後、装着部本体の下部平面とシール部とによって注射筒の貫通穴に密着し、且つ前記ピストンに設置されたスリーブによって注射筒の円管空間と密着できるようになっている。
【０００５】
すなわち、本願の第１発明は、薬剤を収容できる円管空間と、前記円管空間の頂部が収縮して形成された引止め部と、円管空間の底端内部に設けた環状凸部と、前記環状凸部と底端によって形成され、環状凸部から底端内部に沿って次第に収縮した円錐形状を呈し、且つ注射筒の外縁に沿って相互に通じ合う貫通孔を開設した収容部とを有する注射筒と、頂端に設けた先端部と、凹溝部と、差し止め部及び頚部とを有するピストンと、前記注射筒の収容部にセットされ、可変壁面を持った装着部本体と、シール部及び嵌合部とを有する注射針装着部と、中空の円錐形態をなし、且つその外縁に数個のリブを設けた注射針に被せてカバーをする注射針のキャップと、を含み、前記ピストンにはゴム又はシリコンで作られたスリーブを設け、前記スリーブ下方の差し止め部はピストンを注射筒の円管空間に押し入れた後、その差し止め部の後端が引止め部に嵌り、退出できないようになっていて、前記装着部本体の上部平面の形状は、その長径と短径が楕円形に近い形態を呈しており、前記装着部本体の上部平面の外周全長は注射筒の内部環状凸部の内周の全長より小さく、前記装着部本体の下部平面の形状は、円形をなすと共に下方に向かって接続部が凹設され、接続部の頂端に間隔的に一個又は複数個の位置決め部を有し、且つ前記注射針装着部に注射針装着部を貫通する円孔を設けてあり、前記注射針装着部は、装着部本体が前記注射筒の円管空間を通過し、且つ装着部本体の上部平面の長径の両端で環状凸部の下縁に当接することによって、止まる状態で注射筒の収容部に設置してあり、前記注射針装着部のシール部は、注射筒の貫通穴を通過した後、装着部本体の下部平面とシール部とによって注射筒の貫通穴に密着し、且つ前記ピストンに設置されたスリーブが注射筒の円管空間と密着し、使用時は、前記ピストンに設置されたスリーブが注射筒の円管空間と密着しながらピストンを前へ向かって推進することで、注射筒内の薬剤が放出され、注射が終わると、押し付ける力で前記ピストンの先端部が装着部本体の接続部に入り、ピストンの先端部が装着部本体に入ると同時に装着部本体の可変壁面は、次第に円錐状の壁面に変わり、上部平面から下部平面の間の可変壁面が次第に先端部と密着し、ピストンの先端部と装着部本体の接続部を緊迫力と摩擦力によって結合させ、ピストンの先端部が装着部本体の接続部に入ると、その注射針装着部の上位にある位置決め部が更にピストンの凹溝部に嵌って位置決めすると共に、装着部本体がピストンの先端部に入った後、その上部平面の外径寸法が環状凸部の内径寸法より小さく、ピストンを引っ張り出すと、注射針装着部を収容部から切り離し、且つ注射筒の円管空間の中に収納することができることを特徴とする注射針装着部を備えた安全注射器を提供するものである。
本願の第２発明は、前記第１発明において注射針装着部の円孔には注射針を固定できることを特徴とする注射針装着部を備えた安全注射器を提供するものである。
本願の第３発明は、前記第１発明において前記注射針装着部の嵌合部には注射針を嵌合することができることを特徴とする、注射針装着部を備えた安全注射器を提供するものである。
本願の第４発明は、前記第１発明において前記注射針装着部の装着部本体は、下方に向かって接続部が凹設され、且つ接続部の頂端間には一個又は複数個の位置決め部を凸設したことを特徴とする、注射針装着部を備えた安全注射器を提供するものである。
【発明の効果】
【０００６】
本発明はつぎの特有の効果を得ることができる。
（１）環境保護、廃棄物処理の体積縮減を達成できる簡便型注射器としての注射針装着部を備えた安全注射器を提供することができる。
（２）使用終了後に、注射針装着部を注射筒の収容部に収容できる注射針装着部を備えた安全注射器を提供することができる。
（３）ピストンと頚部間が数個の連接点で連接され、且つ使用後にピストンと頚部を分離させることのできる注射針装着部を備えた安全注射器を提供することができる。
【発明を実施するための最良の形態】
【０００７】
図１〜図３及び図４に本発明に係る注射針装着部を備えた安全注射器の一例を示す。
安全注射器は、主として注射筒１と、ピストン２と、注射針装着部３と、注射針キャップ４と、からなる。
【０００８】
注射筒１は薬剤を収容できる円管空間１１を備え、前記円管空間１１の頂端は収縮して引止め部１２を形成している。
前記円管空間１１の底端１４の内部には環状凸部１３を設け、前記環状凸部１３と底端１４によって収容部１５を形成している。
前記収容部１５は前記環状凸部１３が底端１４の内部に沿って徐々に変化して円錐体の形態を呈する。
前記収容部１５には注射筒１の外縁に沿って連通する貫通孔１６が開設されている。
注射筒１の貫通孔１６と連通した収容部１５の孔径が貫通孔１６の孔径より大きく、段差を有して形成されている。
【０００９】
ピストン２はその頂端の先端部２１と、凹溝部２２と、差し止め部２３及び頚部２４とを具備する。
前記ピストン２にはスリーブ２５を設けると共に、前記スリーブ２５の下方には差し止め部２３を設ける。差し止め部２３はピストンを前に向かって注射筒１の円管空間１１に押し込んだ後、その差し止め部２３の後端が引止め部１２に引っかかって抜け出ないようになっている。
又、ピストン２と頚部２４の間は、複数の連接点によって部分的に連接されている。ピストン２と頚部２４の間の接続断面を小さくしたのは、注射器の使用後に頚部２４の部位で折ってピストンを分離するためである。
【００１０】
注射針装着部３は、注射筒１の収容部１５にセットされるもので、可変壁面を備えた装着部本体３１と、シール部３２及び嵌合部３３とを有する。
注射針装着部３の装着部本体３１の中には、注射針と連通するための円孔３８が開設されている。
注射針装着部３の嵌合部３３は注射針、又は注射針装着部５を嵌合するためのものである。注射針の装着形態について後述する。
装着部本体３１の下部平面３５とシール部３２は、注射筒１の貫通孔１６に挿通させたとき、注射筒１の底面に密着して貫通孔１６をシールするために機能する。
前記装着部本体３１の上部平面３４の形状は長径３４１及び短径３４２を有する楕円形に近い形態を呈すると共に、上部平面３４の外周全長は注射筒１の環状凸部１３の内周全長より小さくなっている。
装着部本体３１の下部平面３５の形状は円形の形態を成す。このように装着部本体３１は上下部の形状が異なった可変壁面を形成している。
【００１１】
装着部本体３１には下方に向かって接続部３６を凹設し、且つ接続部３６の頂端には一個又は複数個の位置決め部３７を凸設している。
位置決め部３７は注射針装着部３が注射筒１の収容部１５を離れる際の結合力を強めるのに役立つもので、その設置形態は図２Ａ〜図２Ｄの注射針装着部３の斜視拡大略図に示すように、接続部３６の頂端に一個、又は間隔的に複数個の位置決め部３７を採用可能である。
位置決め部３７の形成数は、注射針装着部３が注射筒１の収容部１５を離れる際の結合力に応じて適宜選択するものとする。
【００１２】
注射針キャップ４は注射針３９をカバーするためのもので、中空の円錐形態を呈している。前記注射針キャップ４の外縁には、図７に示すように、数個のリブ４１が設けられる。
前記注射針キャップ４は頂端と底端１４が連通する形態、又は開口のみを備えた形態であってもよいが、本実施例では、頂端と底端１４が連通する形態である場合について示している。
【００１３】
図３は注射針装着部３の注射針装着部３１に、円孔３８と連通させて注射針３９を直接固定した本発明の第２実施例を示す。
【００１４】
図４は先端部２１に改良を加えた本発明に係るピストン２の第３実施例を示し、図５Ａ〜図５Ｃは本発明に係るピストン２の第４実施例を示す。
図５Ａ〜図５Ｃにおいて、前記注射針装着部３は、装着部本体３１の上部平面３４の長径３４１の両端が環状凸部１３の下縁に突き当たるまで装着部本体３１を注射筒１の円管空間１１に押し込んで、注射筒１の収容部１５内に差し止め（位置決め）状態で設置する。
注射針装着部３のより上位にある位置決め部３７がピストン２の凹溝部２２に嵌り込んで固定されるために、注射針装着部３の抜け出しが規制される。
【００１５】
前記注射針装着部５は、現在常用されている規格の注射針装着部５であるが、ユーザーが必要に応じて所定規格の注射針３９を選択し、その固定部５１を注射筒１の貫通孔１６から突出する注射針装着部３の嵌合部３３に嵌合する。
【００１６】
図６Ａ〜図６Ｄの実施例の拡大略図を基に本発明を更に詳しく説明する。
本発明の注射針装着部３を備えた安全注射器を使用するとき、ピストン２に設けたスリーブ２５がゴム、又はシリコンで作られているため、注射筒１の円管空間１１を好適にシールすることができる。
従って、ユーザーが食指と中指を注射筒１のツバ１７に当てて、親指で前記ピストン２の押し付け部２６を軽く押して前進すると、注射筒１に収容された薬剤（図では省略）が前記注射針３９から押し出される。ピストン２の押し付け力によって薬剤を注射できる。
注射針装着部３が注射筒１の収容部１５および貫通孔１６の間で段階的なシール構造となる事で、貫通孔１６を通して薬剤が外に漏れる現象を避けることができる。
【００１７】
薬剤の注射が終了した後は、ピストン２に押し付け力を加えてピストン２の先端部２１を装着部本体３１の接続部３６内に押し込む。
ピストン２を押し込むことにより、ピストン２の先端部２１が装着部本体３１内の可変壁面に入り込み、装着部本体３１の内周面が次第に円錐状の壁面に変わり、装着部本体３１の上部平面３４から下部平面３５間の可変壁面によって次第に先端部２１との間にシール状態が形成され、さらにピストン２の先端部２１と装着部本体３１の接続部３６が圧着力と摩擦力とによって強固に結合する。
【００１８】
ピストン２の先端部２１を装着部本体３１の接続部３６に圧入して、ピストン２を注射針装着部３に一体に結合した後、ユーザーがピストン２を引き戻す。
注射針装着部３の上部平面３４の外径寸法が環状凸部１３の内径よりやや小さいため、装着部本体３１の上部平面３４の長径３４１の両端が環状凸部１３の下縁を乗り越えて、注射針付きの注射針装着部３が収容部１５から円管空間１１へ分離して移動する。
ピストン２は注射針付きの注射針装着部３と一体となっているので、ピストン２をさらに引き戻すことで、注射針を注射筒１の円管空間１１の中に収納することができる。
【００１９】
本発明においては、注射筒１の貫通孔１６と連通した収容部１５の孔径が貫通孔１６の孔径より大きく、段差を有して形成されている。そのため、注射針付きの注射針装着部３の後退を完全に阻害することなく、注射針付きの装着部本体３１を注射筒１の中に格納することができる。
注射筒１内に完全に収納された注射針装着部３は貫通孔１６を通して脱落することがない。
【００２０】
また、前記注射筒１のツバ１７の位置に引止め部１２を設けたと、注射筒１の頂端が収縮した段階的形状に形成してあるので、ピストン２を注射筒１の引止め部１２側ヘ引き戻すと、ピストン２の差し止め部２３が引止め部１２に当たって動きが止められるため、ピストン２は注射筒１から抜け出ない。
最後に図７に示すように、ピストン２と頚部２４の間を折って、ピストン２を切り離す。注射筒１内にピストン２の一部と注射針装着部３と注射針が収納されて残る。
注射筒１の貫通孔１６を通じて挿入した注射針キャップ４で注射針３９をカバーする。
注射針付きの注射針装着部３が注射筒１の中に収納されるので、注射器を廃棄しても注射針によって刺されることを確実に避けることができて安全である。
環境保護、廃棄物処理の体積縮減を達成できる簡便型注射器としての注射針装着部を備えた安全注射器を提供することにある。
本発明のもう一つの目的は、使用後に、注射針装着部を注射筒の収容部に収容できる注射針装着部を備えた安全注射器を提供することにある。
【図面の簡単な説明】
【００２１】
【図１】本発明に係る注射針装着部を備えた安全注射器の第一実施例の分解図である。
【図２Ａ】注射針装着部の斜視拡大略図である。
【図２Ｂ】注射針装着部の斜視拡大略図である。
【図２Ｃ】注射針装着部の斜視拡大略図である。
【図２Ｄ】注射針装着部の斜視拡大略図である。
【図３】本発明に係る注射針装着部を備えた安全注射器の第二実施例の分解図である。
【図４】注射針装着部を備えた安全注射器の第三実施例の分解図である。
【図５Ａ】注射針装着部を備えた安全注射器の第四実施例の作動略図である。
【図５Ｂ】注射針装着部を備えた安全注射器の第四実施例の作動略図である。
【図５Ｃ】注射針装着部を備えた安全注射器の第四実施例の作動略図である。
【図６Ａ】ピストンの先端部が注射針装着部に入ろうとしている作動略図である。
【図６Ｂ】ピストンの先端部が注射針装着部に入った後の組み合わせ略図である。
【図６Ｃ】ピストンと注射針装着部が注射筒収容部から離れる略図である。
【図６Ｄ】ピストンと注射針装着部が注射筒収容部から完全に離れた略図である。
【図７】安全注射器のピストンを注射筒から引っ張り出し、且つピストンの頸部を折って注射筒から切り離した略図である。
【符号の説明】
【００２２】
１・・・・・・注射筒
１１・・・・・円管空間
１２・・・・・引止め部
１３・・・・・環状凸部
１４・・・・・底端
１５・・・・・収容部
１６・・・・・貫通孔
１７・・・・・ツバ
２・・・・・・ピストン
２１・・・・・ピストン先端部
２２・・・・・凹溝部
２３・・・・・差し止め部
２４・・・・・頚部
２５・・・・・スリーブ
２６・・・・・押し付け部
３・・・・・・注射針装着部
３１・・・・・装着部本体
３２・・・・・シール部
３３・・・・・嵌合部
３４・・・・・上部平面
３４１・・・・長径
３４２・・・・短径
３５・・・・・下部平面
３６・・・・・接続部
３７・・・・・位置決め部
３８・・・・・円孔
３９・・・・・注射針
４・・・・・・注射針のキャップ
４１・・・・・リブ
５・・・・・・注射針装着部
５１・・・・・固定部
【図１】
2006255180.tif 000003
【図２Ａ】
2006255180.tif 000004
【図２Ｂ】
2006255180.tif 000005
【図２Ｃ】
2006255180.tif 000006
【図２Ｄ】
2006255180.tif 000007
【図３】
2006255180.tif 000008
【図４】
2006255180.tif 000009
【図５Ａ】
2006255180.tif 000010
【図５Ｂ】
2006255180.tif 000011
【図５Ｃ】
2006255180.tif 000012
【図６Ａ】
2006255180.tif 000013
【図６Ｂ】
2006255180.tif 000014
【図６Ｃ】
2006255180.tif 000015
【図６Ｄ】
2006255180.tif 000016
【図７】
2006255180.tif 000017